(57)【要約】【課題】回転仕切体の周辺構造を複雑にすることなく、回転仕切体部分からのヒートリークを抑制する。【解決手段】冷蔵庫本体１０１の開口部１００ｘの左右両側にそれぞれの一端部が支持された一対の扉２、３と、一対の扉２、３が閉じた状態で、一対の扉２、３の間に生じる隙間を閉塞する回転仕切体４と、一方の扉２の他端部に固定されるとともに回転仕切体４を回転可能に支持するものであり、一方の扉２の他端部と回転仕切体４との間に上下に沿って形成される隙間Ｇを低減する隙間低減部材６とを備える。【選択図】図４
2017161211.tif 000002
【特許請求の範囲】
【請求項１】
冷蔵庫本体の開口部の左右両側にそれぞれの一端部が支持された一対の扉と、
前記一対の扉が閉じた状態で、前記一対の扉の間に生じる隙間を閉塞する回転仕切体と、
前記一方の扉の他端部に固定されるとともに前記回転仕切体を回転可能に支持するものであり、前記一方の扉の他端部と前記回転仕切体との間に上下に沿って形成される隙間を低減する隙間低減部材とを備える冷蔵庫。
【請求項２】
前記隙間低減部材は、前記一方の扉の他端部側に突出して形成された複数の突出支持部を有し、
前記回転仕切体は、前記突出支持部に回転可能に係合する複数の係合凹部を有する請求項１記載の冷蔵庫。
【請求項３】
前記回転仕切体における前記隙間低減部材により支持された支持端部の外面は、その回転軸周りに断面円弧状の凸曲面部を有しており、
前記隙間低減部材における前記支持端部に対向する対向面は、前記回転軸周りに前記凸曲面部と同心円状をなす断面円弧状の凹曲面部を有している請求項１又は２記載の冷蔵庫。
【請求項４】
前記隙間低減部材は、前記凹曲面部よりも庫内側において、前記回転仕切体側に突出する庫内側突出部を有する請求項３記載の冷蔵庫。
【請求項５】
前記回転仕切体は、前記凸曲面部よりも庫内側において、前記突出部に対応する形状をなす凹部を有する請求項４記載の冷蔵庫。
【請求項６】
前記一方の扉の他端部における庫内側内面に前記回転仕切体が当接するガスケットが設けられており、
前記隙間低減部材は、前記凹曲面部よりも庫外側において、前記ガスケットの幅方向外側端部よりも幅方向内側に突出する庫外側突出部を有する３乃至５の何れか一項に記載の冷蔵庫。
【請求項７】
前記庫外側突出部は、前記ガスケットとの対向面に前記ガスケットと接触するリブを有する請求項６記載の冷蔵庫。
【請求項８】
前記一方の扉の内面に土手部が形成されており、
前記隙間低減部材の上下端部は、前記一方の扉の上下に形成された土手部の角Ｒ部へ巻き込むように形成されている１乃至７の何れか一項に記載の冷蔵庫。
【請求項９】
前記回転仕切体は、前記隙間低減部材により支持された支持端部とは反対側の自由端部の庫外側角部に半径８ｍｍ以上のＲ形状部を有し、
前記他方の扉の内面に形成された土手部にパッキンが設けられており、
前記一対の扉が閉じた状態で、前記パッキンが前記Ｒ形状部に当接する請求項１乃至８の何れか一項に記載の冷蔵庫。
【請求項１０】
前記隙間低減部材と前記一方の扉の他端部との間に断熱部材が設けられている請求項１乃至９の何れか一項に記載の冷蔵庫。
【請求項１１】
冷蔵庫本体の開口部の左右両側にそれぞれの一端部が支持された一対の扉と、
前記一方の扉の他端部に回動可能に取り付けられ、前記一対の扉が閉じた状態で、扉ガスケットに当接して前記一対の扉の間に生じる隙間を閉塞する回転仕切体とを備え、
前記回転仕切体は、前記扉ガスケットに当接する当板と、前記当板とともに前記回転仕切体の外郭を構成する筐体とを有し、
前記当板の外側面と、この外側面に対向する前記筐体の内側面との間に隙間が形成されている冷蔵庫。
【請求項１２】
前記当板は、前記扉ガスケットに当接する平板部と、当該平板部の左右両端部から回転仕切体の内部に延びる左右側壁部とを有し、
前記左右側壁部は、互いの間隔が狭くなるように０．１度以上５度未満の範囲で傾斜している請求項１１記載の冷蔵庫。
【請求項１３】
前記当板及び前記筐体の間に介在して設けられ、前記当板を前記筐体に固定する固定機構を備え、
前記固定機構は、前記左右側壁部又は筐体の一方に設けられた係止爪部と、前記左右側壁部又は筐体の他方に設けられた係止凹部とを有し、
前記筐体に設けられた前記係止爪部又は前記係止凹部は、前記筐体の前記内側面以外に設けられている請求項１２記載の冷蔵庫。
【請求項１４】
前記筐体に設けられた前記係止爪部又は前記係止凹部は、前記筐体において前記左右側壁部の間に設けられている請求項１３記載の冷蔵庫。
【請求項１５】
前記左右側壁部に前記係止凹部が設けられ、前記筐体に前記係止爪部が設けられており、
前記係止爪部の外側面には、前記左右側壁部の内側面に接触するリブが形成されている請求項１４記載の冷蔵庫。
【請求項１６】
前記左右側壁部において前記係止凹部が設けられている部分は、前記平板部に対して垂直に形成されている請求項１５記載の冷蔵庫。
【発明の詳細な説明】
【技術分野】
【０００１】
本発明は、冷蔵庫に関するものである。
【背景技術】
【０００２】
従来の観音開き式冷蔵庫は、冷蔵庫本体の開口部の左右両側にそれぞれの一端部が支持された一対の扉と、一方の扉の他端部に回転可能に設けられて、一対の扉が閉じた状態で、一対の扉の間に生じる隙間を閉塞する回転仕切体とを備えている。また、一対の扉の内面には、一対の扉が閉じた状態で回転仕切体が当接するガスケットが設けられている。
【０００３】
この観音開き式冷蔵庫では、回転仕切体及びガスケットの接触部分を介してヒートリークが生じてしまう。このヒートリークを抑制するための構造として、回転仕切体と扉との間の隙間を縮小することが考えられるが、回転仕切体と扉との間の隙間を縮小するためには、扉の成形金型に変更を加える必要があり、多大なる設備投資が必要となり現実的では無い。
【０００４】
そこで、特許文献１に示すように、回転仕切体と当該回転仕切体を回転可能に支持する扉との間に、熱交換を抑制するための部材を配置して、その隙間における熱交換を抑制するものも考えられている。
【０００５】
しかしながら、この構成では、扉に対して回転仕切体を回転可能に支持する支持構造と、当該支持構造とは別に隙間を埋める部材を配置する必要があり、回転仕切体の周辺構造が複雑になってしまう。
【先行技術文献】
【特許文献】
【０００６】
【特許文献１】特開２０１３−１２００４９号公報
【発明の概要】
【発明が解決しようとする課題】
【０００７】
そこで本発明は、上記問題点を一挙に解決すべくなされたものであり、回転仕切体の周辺構造を複雑にすることなく、回転仕切体の周辺部分からのヒートリークを抑制することを主たる課題とするものである。
【課題を解決するための手段】
【０００８】
すなわち本発明に係る冷蔵庫は、冷蔵庫本体の開口部の左右両側にそれぞれの一端部が支持された一対の扉と、前記一対の扉が閉じた状態で、前記一対の扉の間に生じる隙間を閉塞する回転仕切体と、前記一方の扉の他端部に固定されるとともに前記回転仕切体を回転可能に支持するものであり、前記一方の扉の他端部と前記回転仕切体との間に上下に沿って形成される隙間を低減する隙間低減部材とを備えることを特徴とする。
【０００９】
このような冷蔵庫であれば、回転仕切体を回転可能に支持する部材と、一方の扉の他端部と回転仕切体との間に上下に沿って形成される隙間を低減する部材を単一の隙間低減部材により形成しているので、回転仕切体の周辺構造を複雑にすることなく、回転仕切体の周辺部分からのヒートリークを抑制することができる。これにより、冷蔵庫の省電力化を図ることができる。また、隙間低減部材により回転仕切体を支持するとともに隙間を低減しているので、隙間を埋めるための扉側への設計変更を、扉への断熱材注入設備に影響の出ない程度にできる。また、扉側への設計変更を小さくできるので、金型費用や製造設備等の初期費用を低減することもできる。
【００１０】
隙間低減部材及び回転仕切体における具体的な支持構造としては、前記隙間低減部材は、前記一方の扉の他端部側に突出して形成された複数の突出支持部を有し、前記回転仕切体は、前記突出支持部に回転可能に係合する複数の係合凹部を有することが望ましい。
この構成であれば、複数の突出支持部を隙間低減部材に一体形成し、複数の係合凹部を回転仕切体に一体形成することによって、部品点数を削減することができるとともに、その支持構造を簡略化することができる。
なお、回転仕切体に複数の突起部を設け、隙間低減部材に複数の凹部を設けることも考えられるが、回転仕切体に比べて隙間低減部材の厚さ寸法が小さいため、十分な支持強度を得ることが難しい。
【００１１】
隙間低減部材と回転仕切体との間に形成される隙間における庫内側と庫外側との距離を大きくして、ヒートリークを抑制するためには、前記回転仕切体における前記隙間低減部材により支持された支持端部の外面は、その回転軸周りに断面円弧状の凸曲面部を有しており、前記隙間低減部材における前記支持端部に対向する対向面は、前記回転軸周りに前記凸曲面部と同心円状をなす断面円弧状の凹曲面部を有していることが望ましい。
この構成であれば、隙間低減部材と回転仕切体との間に概略円弧状の隙間が形成されることになり、庫内側と庫外側との距離を可及的に大きくすることができる。
【００１２】
また、隙間低減部材と回転仕切体との間に形成される隙間における庫内側と庫外側との距離をより一層に大きくするためには、前記隙間低減部材は、前記凹曲面部よりも庫内側において、前記回転仕切体側に突出する庫内側突出部を有することが望ましい。
【００１３】
前記回転仕切体は、前記凸曲面部よりも庫内側において、前記突出部に対応する形状をなす凹部を有することにより、隙間低減部材と回転仕切体との間に形成される隙間における庫内側と庫外側との距離をより一層に大きくすることができる。
【００１４】
回転仕切体を有する冷蔵庫では、扉の他端部における庫内側内面に回転仕切体が当接するガスケットが設けられている。このガスケットとの関係においては、前記隙間低減部材は、前記凹曲面部よりも庫外側において、前記ガスケットの幅方向外側端部よりも幅方向内側に突出する庫外側突出部を有することが望ましい。
【００１５】
ガスケットの軟質緩衝部は変形容易なため、その近傍に位置する隙間低減部材に軟質緩衝部が面接触して熱伝導によるヒートリークが発生してしまう。
この問題を好適に解決するためには、前記庫外側突出部は、前記ガスケットとの対向面に前記ガスケットと接触するリブを有することが望ましい。
この構成であれば、リブがガスケットに接触するので、ガスケットと隙間低減部材との接触面積（伝熱面積）を小さくすることができ、接触によるヒートリークを低減することができる。
【００１６】
前記一方の扉の内面に土手部が形成されており、前記隙間低減部材の上下端部は、前記一方の扉の上下に形成された土手部の角Ｒ部へ巻き込むように形成されていることが望ましい。
この構成であれば、回転仕切体の上下部における土手部との段差を低減することができ、隙間低減部材と土手部の角Ｒ部との隙間を埋めることができ、ヒートリークを低減することができる。
【００１７】
前記回転仕切体は、前記隙間低減部材により支持された支持端部とは反対側の自由端部の庫外側角部に半径８ｍｍ以上のＲ形状部を有し、前記他方の扉の内面に形成された土手部にパッキンが設けられており、前記一対の扉が閉じた状態で、前記パッキンが前記Ｒ形状部に当接することが望ましい。
この構成であれば、扉の組み立て固体差や食品荷重に伴う位置ずれが発生した場合でも、パッキンをＲ形状部に当接させてシールすることができる。また、半径８ｍｍ以上のＲ形状部にパッキンと当接させているので、扉の開閉時における摩擦抵抗を小さくすることができ、開閉動作に与える影響を小さくでき、擦れ音が生じ難い。また、ヒートリークも抑制できる。
【００１８】
回転仕切体の内部に結露防止ヒータが内蔵された構成の場合には、隙間低減部材と一方の扉の他端部との間に空間があると、その空間に空気対流が生じてしまい、ガスケットや回転仕切体の庫外側への加熱効率が低下する恐れがある。
この問題を好適に解決するためには、前記隙間低減部材と前記一方の扉の他端部との間に断熱部材が設けられていることが望ましい。
この構成であれば、隙間低減部材の内部において空気対流が生じず、ガスケットや回転仕切体の庫外側への加熱効率を向上させることができ、結露防止ヒータの通電時間や消費電力を低減することができる。
【００１９】
また、従来の観音開き式冷蔵庫において、前記回転仕切体は、扉ガスケットに当接する当板と、当該当板とともに回転仕切体の外郭を構成する筐体とを有している。そして、この当板は、扉ガスケットに当接する平板部と、当該平板部の左右両端部から回転仕切体の内部に延びる左右側壁部とを有している。そして、この当板は、１工程のプレス加工での作製が多いと考えられる。この場合、当板の内側に配置された治具が加工終了後に外れる必要があるため、また、鉄のスプリングバック特性の影響で、当板の左右側壁部は、外側に開くか垂直に、加工される。
【００２０】
このように加工された当板の外側面は、当該当板の外側面と対向する筐体の内側面と面接触することになる。そうすると、当板に配置された結露防止ヒータで発生した熱が当板の外側面から外気側に伝わるのではなく、当板の外側面を通して筐体に伝わることが分かっている。
【００２１】
この問題を好適に解決する本発明の冷蔵庫は、冷蔵庫本体の開口部の左右両側にそれぞれの一端部が支持された一対の扉と、前記一方の扉の他端部に回動可能に取り付けられ、前記一対の扉が閉じた状態で、扉ガスケットに当接して前記一対の扉の間に生じる隙間を閉塞する回転仕切体とを備え、前記回転仕切体は、前記扉ガスケットに当接する当板と、前記当板とともに前記回転仕切体の外郭を構成する筐体とを有し、前記当板の外側面と、この外側面に対向する前記筐体の内側面との間に隙間が形成されていることを特徴とする。
【００２２】
このような冷蔵庫であれば、当板の外側面とこの外側面に対向する筐体の内側面との間に隙間が形成されているので、当板と筐体との接触面積を減らすことができ、当板に配置された結露防止ヒータで発生する熱を効率的に当板に集中させることができる。これにより、ヒータの必要電力を減らすことができ、冷蔵庫運転時の消費電力量を削減することができる。
【００２３】
当板の具体的な実施の態様としては、当板は、前記扉ガスケットに当接する平板部と、当該平板部の左右両端部から回転仕切体の内部に延びる左右側壁部とを有するものが考えられる。この形状において、筐体の外側面側の形状を工夫することなく、当板だけの形状で、それらの間に隙間を簡単に形成するためには、前記左右側壁部は、互いの間隔が狭くなるように０．１度以上５度未満の範囲で傾斜していることが望ましい。
これならば、左右側壁部が従来のように外側に開く形状では無いので、左右側壁部の外側面と筐体の内側面との間に簡単に隙間を形成することができる。
【００２４】
また、冷蔵庫は、前記当板及び前記筐体の間に介在して設けられ、前記当板を前記筐体に固定する固定機構を備えている。この固定機構は、前記左右側壁部又は筐体の一方に設けられた係止爪部と、前記左右側壁部又は筐体の他方に設けられた係止凹部とを有している。この構成において、左右側壁部の外側面と筐体の内側面との間に簡単に隙間を形成するためには、前記筐体に設けられた前記係止爪部又は前記係止凹部は、前記筐体の前記内側面以外に設けられていることが望ましい。具体的には、前記筐体に設けられた前記係止爪部又は前記係止凹部は、前記筐体において前記左右側壁部の間に設けられていることが望ましい。
【００２５】
固定機構により当板を筐体に固定した際に、筐体に対する当板の位置決めを容易にするためには、前記左右側壁部に前記係止凹部が設けられ、前記筐体に前記係止爪部が設けられており、前記係止爪部の外側面には、前記左右側壁部の内側面に接触するリブが形成されていることが望ましい。このとき、前記左右側壁部において前記係止凹部が設けられている部分は、前記平板部に対して垂直に形成されていることが望ましい。
【発明の効果】
【００２６】
本発明によれば、回転仕切体を回転可能に支持する部材と、一方の扉の他端部と回転仕切体との間に上下に沿って形成される隙間を低減する部材を単一の隙間低減部材により形成しているので、回転仕切体の周辺構造を複雑にすることなく、回転仕切体の周辺部分からのヒートリークを抑制することができる。
【図面の簡単な説明】
【００２７】
【図１】第１実施形態における冷蔵庫の扉開放状態を示す模式図である。
【図２】回転仕切体及び隙間低減部材の支持構造（上端部）を示す斜視図である。
【図３】回転仕切体及び隙間低減部材の支持構造（下端部）を示す斜視図である。
【図４】扉閉塞状態における回転仕切体及び隙間低減部材の構成を主として示す断面図である。
【図５】扉開放状態における回転仕切体及び隙間低減部材の構成を主として示す断面図である。
【図６】ガスケットと隙間低減部材との関係を主として示す部分拡大断面図である。
【図７】第２実施形態における回転仕切体の構成を示す断面図である。
【図８】同実施形態の当板を主として示す部分拡大断面図である。
【図９】同実施形態の固定機構を主として示す斜視図である。
【図１０】本発明の変形実施形態を示す断面図である。
【発明を実施するための形態】
【００２８】
＜第１実施形態＞
以下に本発明の第１実施形態について図面を参照して説明する。
【００２９】
本実施形態の冷蔵庫１００は、図１〜図５に示すように、冷蔵庫本体１０１の開口部１００ｘの左右両側にそれぞれの一端部が支持された一対の扉２、３と、一対の扉２、３が閉じた状態で、一対の扉２、３の他端部の間に生じる隙間を閉塞する回転仕切体４と、一対の扉２、３の他端部における庫内側内面に設けられ、回転仕切体４が当接するガスケット５とを備えている。なお、回転仕切体４の内部には、ガスケット５や回転仕切体への結露を防止するための結露防止ヒータ４Ｈが設けられている。
【００３０】
そして、この冷蔵庫１００では、一方の扉２の他端部と回転仕切体４との間に上下に沿って形成される隙間Ｇを低減する隙間低減部材６を備えており、この隙間低減部材６により回転仕切体４が回転可能に支持されている。
【００３１】
隙間低減部材６は、一方の扉２の他端部の内面に設けられた土手部２１に固定されている。この隙間低減部材６は、前記土手部２１の上端部から下端部に亘って設けられた縦長状をなすものである。
【００３２】
この隙間低減部材６は、図２及び図３に示すように、一方の扉２の他端部側に突出して形成された複数の突出支持部６１を有している。一方で、回転仕切体４は、突出支持部６１に回転可能に係合する複数の係合凹部４１を有している。そして、回転仕切体４の係合凹部４１に隙間低減部材６の突出支持部６１が挿し込まれて係合することにより、回転仕切体４は、隙間低減部材６に対して回転可能に支持される。
【００３３】
なお、隙間低減部材６における回転仕切体４を向く面（回転仕切体４との対向面）は、前記突出支持部６１を除いて、断面略同一形状となるように構成されている。本実施形態の回転仕切体４は、前記突出支持部６１を除いて、概略等断面形状をなすように構成されている。
【００３４】
ここで、特に図４及び図５に示すように、回転仕切体４における隙間低減部材６により支持された支持端部４Ａの外面は、その回転軸４Ｃ周りに断面円弧状の凸曲面部４２を有しており、隙間低減部材６における支持端部４Ａに対向する対向面は、回転軸４Ｃ周りに凸曲面部４２と同心円状をなす断面円弧状の凹曲面部６２を有している。この構成により、回転仕切体４の支持端部４Ａと、隙間低減部材６との間に、円弧状の隙間Ｇが形成される。
【００３５】
また、隙間低減部材６は、凹曲面部６２よりも庫内側において回転仕切体４側に突出する庫内側突出部６３を有する。この庫内側突出部６３は、凸曲面部４２における隙間低減部材６側の扉側先端部４２ｘよりも、回転仕切体４側に突出している。
【００３６】
この隙間低減部材６の庫内側突出部６３に対応して、回転仕切体４は凹部４３を有する。この凹部４３は、支持端部４Ａとは反対側の自由端部４Ｂにおける庫内側に形成されており、庫内側突出部６３に対応する形状をなす。そして、扉開放状態において回転仕切体４の凹部４３は、隙間低減部材６の庫内側突出部６３が嵌るように対向する。また、この状態で、回転仕切体４の凹部４３よりも自由端部４Ｂ側の外面は、土手部２１よりも庫内側に設けられた庫内収容ポケット２２に対向する。
【００３７】
さらに、隙間低減部材６は、特に図６に示すように、凹曲面部６２よりも庫外側において、ガスケット５の幅方向外側端部よりも幅方向内側に突出する庫外側突出部６４を有する。この庫外側突出部６４は、前記凹曲面部６２に連続して、凸曲面部４２と同心円状をなす断面円弧状をなす面を有する。
【００３８】
この庫外側突出部６４は、ガスケット５との対向面にガスケット５と接触するリブ６５を有する。このリブ６５は、庫外側突出部６４の上端部から下端部に亘って全体に形成されたものであっても良いし、上下方向に間欠的に複数形成されたものであっても良い。
【００３９】
また、隙間低減部材６の上下端部６Ｈ、６Ｌは、一方の扉２の上下に形成された土手部２１の角Ｒ部２１Ｒへ巻き込むように形成されている。
【００４０】
さらに、回転仕切体４は、隙間低減部材６により支持された支持端部４Ａとは反対側の自由端部４Ｂの庫外側角部に半径８ｍｍ以上のＲ形状部４Ｂ１を有している。また、他方の扉３の内面に形成された土手部３１にパッキン７が設けられている。そして、一対の扉２、３が閉じた状態で、パッキン７が前記Ｒ形状部４Ｂ１に当接する。
【００４１】
＜第１実施形態の効果＞
このように構成した本実施形態の冷蔵庫１００によれば、回転仕切体４を回転可能に支持する部材と、一方の扉２の他端部と回転仕切体４との間に上下に沿って形成される隙間Ｇを低減する部材を単一の隙間低減部材６により形成しているので、回転仕切体４の周辺構造を複雑にすることなく、回転仕切体４の周辺部分からのヒートリークを抑制することができる。これにより、冷蔵庫１００の省電力化を図ることができる。また、隙間低減部材６により回転仕切体４を支持するとともに隙間Ｇを低減しているので、隙間Ｇを埋めるための扉側への設計変更を、扉２、３への断熱材注入設備に影響の出ない程度にできる。また、扉側への設計変更を小さくできるので、金型費用や製造設備等の初期費用を低減することもできる。
【００４２】
複数の突出支持部６１を隙間低減部材６に一体形成し、複数の係合凹部４１を回転仕切体４に一体形成することによって、部品点数を削減することができるとともに、その支持構造を簡略化することができる。
【００４３】
回転仕切体４の支持端部４Ａの外面が断面円弧状の凸曲面部４２を有し、隙間低減部材６における支持端部４Ａに対向する対向面が断面円弧状の凹曲面部６２を有しているので、隙間低減部材６と回転仕切体４との間に形成される隙間Ｇにおける庫内側と庫外側との距離を大きくして、ヒートリークを抑制することができる。また、隙間低減部材６が凹曲面部６２よりも庫内側において、回転仕切体４側に突出する庫内側突出部６３を有するので、隙間低減部材６と回転仕切体４との間に形成される隙間Ｇにおける庫内側と庫外側との距離をより一層に大きくすることができる。さらに、回転仕切体４は、凸曲面部４２よりも庫内側において、庫内側突出部６３に対応する形状をなす凹部４３を有するので、隙間低減部材６と回転仕切体４との間に形成される隙間Ｇにおける庫内側と庫外側との距離をより一層に大きくすることができる。
【００４４】
隙間低減部材６は、凹曲面部６２よりも庫外側において、ガスケット５の幅方向外側端部よりも幅方向内側に突出する庫外側突出部６４を有するので、これによっても隙間低減部材６と回転仕切体４との間に形成される隙間Ｇにおける庫内側と庫外側との距離を大きくすることができる。ここで、庫外側突出部６４は、ガスケット５との対向面にガスケット５と接触するリブ６５を有するので、ガスケット５と隙間低減部材６との接触面積（伝熱面積）を小さくすることができ、接触によるヒートリークを低減することができる。
【００４５】
一方の扉２の内面に土手部２１が形成されており、隙間低減部材６の上下端部６Ｈ、６Ｌは、一方の扉２の上下に形成された土手部２１の角Ｒ部２１Ｒへ巻き込むように形成されているので、回転仕切体４の上下部における土手部２１との段差を低減することができ、隙間低減部材６と土手部２１の角Ｒ部２１Ｒとの隙間を埋めることができ、ヒートリークを低減することができる。
【００４６】
一対の扉２、３が閉じた状態で、パッキン７がＲ形状部４Ｂ１に当接するので、扉２、３の組み立て固体差や食品荷重に伴う位置ずれが発生した場合でも、パッキン７をＲ形状部４Ｂ１に当接させてシールすることができる。また、半径８ｍｍ以上のＲ形状部４Ｂ１にパッキン７と当接させているので、扉２、３の開閉時における摩擦抵抗を小さくすることができ、開閉動作に与える影響を小さくでき、擦れ音が生じ難い。また、ヒートリークも抑制できる。
【００４７】
＜第２実施形態＞
次に、本発明の第２実施形態について図面を参照して説明する。
【００４８】
本実施形態の冷蔵庫１００は、前記第１実施形態とは、回転仕切体の４構成が異なるが、その他の構成は、同じである。なお、前記実施形態と同一又は対応する部材には、同一の符号を用いている。
【００４９】
具体的に回転仕切体４は、図７に示すように、ガスケット５に当接する長尺状の当板４０１と、この当板４０１とともに回転仕切体４の外郭を構成する長尺状の筐体４０２とを有している。なお、筐体４０２は、外気側樹脂部材４０２ａと、庫内側樹脂部材４０２ｂとからなる。
【００５０】
当板４０１は、図８に示すように、断面概略コの字状をなすものであり、ガスケット５に当接する平板部４０１ａと、当該平板部４０１ａの左右両端部から回転仕切体４の内部に延びる左右側壁部４０１ｂ、４０１ｃとを有している。
【００５１】
そして、図８及び図９に示すように、回転仕切体４は、当板４０１及び筐体４０２の間に介在して設けられ、当板４０１を筐体４０２に固定する固定機構４０３を備えている。
【００５２】
本実施形態の固定機構４０３は、筐体４０２に設けられた係止爪部４０３ｍと、当板４０１の左右側壁部４０１ｂ、４０１ｃに設けられ、係止爪部４０３ｍが係止する係止凹部４０３ｎとからなる。
【００５３】
係止爪部４０３ｍは、筐体４０２の外気側樹脂部材４０２ａにおいて、当板４０１の左右側壁部４０１ｂ、４０１ｃの間に設けられている。つまり、係止爪部４０３ｍは、左右側壁部４０１ｂ、４０１ｃの内側面に接触する。また、係止凹部４０３ｎは、係止爪部４０３ｍが嵌るものであり、左右側壁部４０１ｂ、４０１ｃにおいて厚さ方向に貫通した貫通孔により形成されている。これら係止爪部４０３ｍ及び係止凹部４０３ｎは、長尺状の当板４０１においてその長手方向において間欠的に複数個設けられている。
【００５４】
しかして、当板４０１の左右側壁部４０１ｂ、４０１ｃの左右外側面と、この外側面に対応する筐体４０２の外気側樹脂部材４０２ａの内側面との間に、隙間Ｓが形成されている（特に図８参照）。より具体的には、左右側壁部４０１ｂ、４０１ｃの左右外側面と、外気側樹脂部材４０２ａの内側面とが互いに接触しないように構成されている。
【００５５】
ここで、左右側壁部４０１ｂ、４０１ｃの左右外側面と、外気側樹脂部材４０２ａの内側面とが互いに接触しないようにすべく、左右側壁部４０１ｂ、４０１ｃは、互いの間隔が狭くなるように０．１度以上５度未満の範囲で傾斜した構成にしてある。つまり、平板部４０１ａと左右側壁部４０１ｂ、４０１ｃとのなす内角の角度は鋭角である。
【００５６】
また、固定機構４０３により当板４０１を位置決めして、左右側壁部４０１ｂ、４０１ｃの左右外側面が外気側樹脂部材４０２ａの内側面に接触しないようにすべく、係止爪部４０３ｍの外側面には、左右側壁部４０１ｂ、４０１ｃの内側面に接触するリブ４０４が形成されている。このリブ４０４は、当板４０１においてその長手方向において間欠的に複数個設けられている。また、リブ４０４は、係止爪部４０３ｍの爪よりも基端部に形成されており、左右側壁部４０１ｂ、４０１ｃにおいて係止凹部４０３ｎよりも自由端側の内面に接触する。ここで、リブ４０４との接触を確実にするために、左右側壁部４０１ｂ、４０１ｃにおいて係止凹部４０３ｎが設けられている部分、より具体的には、リブ４０４が接触する部分は、平板部４０１ａに対して垂直に形成されている。
【００５７】
＜第２実施形態の効果＞
このように構成した本実施形態の冷蔵庫１００によれば、当板４０１の外側面とこの外側面に対向する筐体４０２の内側面との間に隙間Ｓが形成されているので、当板４０１と筐体４０２との接触面積を減らすことができ、当板４０１に配置された結露防止ヒータ４Ｈで発生する熱を、筐体４０２側に逃がすことなく効率的に当板４０１に集中させることができる。これにより、結露防止ヒータ４Ｈの必要電力を減らすことができ、冷蔵庫運転時の消費電力量を削減することができる。
【００５８】
なお、本発明は前記各実施形態に限られるものではない。
【００５９】
例えば、隙間低減部材６の裏面（回転仕切体４とは反対側の面）に、隙間低減部材６を軽量化しつつ強度を保つための凹部６Ｍが形成されている場合、この凹部６Ｍにより隙間低減部材６と一方の扉２の他端部との間に空間が形成される。この空間に断熱部材８を設けても良い（図１０参照）。この構成であれば、隙間低減部材６の内部において空気対流が生じず、ガスケット５や回転仕切体４の庫外側への加熱効率を向上させることができ、結露防止ヒータ４Ｈの通電時間や消費電力を低減することができる。
【００６０】
また、隙間低減部材６は、一体形成のものに限られず、例えば機械的強度が確保できる構造であれば突出支持部とそれ以外の本体部とが別部品でありそれらを組み立てることにより構成されるものであっても良い。
【００６１】
さらに、隙間低減部材６は、一方の扉の土手部２１の上端部から下端部に亘って連続した一体ものの他、複数の隙間低減部材６を上端部から他端部に沿って設けたものであっても良い。
【００６２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６３】
１００・・・冷蔵庫
１０１・・・冷蔵庫本体
１００ｘ・・・開口部
２、３・・・一対の扉
４・・・仕切体
５・・・ガスケット
６・・・隙間低減部材
６１・・・突出支持部
４１・・・係合凹部
４Ａ・・・支持端部
４２・・・凸曲面部
６２・・・凹曲面部
４２ｘ・・・扉側先端部
６３・・・庫内側突出部
４３・・・凹部
６４・・・庫外側突出部
６５・・・リブ
２１・・・土手部
２１Ｒ・・・土手部の角Ｒ部
４Ｂ１・・・Ｒ形状部
７・・・パッキン
８・・・断熱部材
４０１・・・当板
４０２・・・筐体
Ｓ・・・隙間
４０１ａ・・・平板部
４０１ｂ・・・左側壁部
４０１ｃ・・・右側壁部
４０２ａ・・・外気側樹脂部材
４０２ｂ・・・庫内側樹脂部材
４０３・・・固定機構
４０３ｍ・・・係止爪部
４０３ｎ・・・係止凹部
４０４・・・リブ
【図１】
2017161211.tif 000003
【図２】
2017161211.tif 000004
【図３】
2017161211.tif 000005
【図４】
2017161211.tif 000006
【図５】
2017161211.tif 000007
【図６】
2017161211.tif 000008
【図７】
2017161211.tif 000009
【図８】
2017161211.tif 000010
【図９】
2017161211.tif 000011
【図１０】
2017161211.tif 000012